(57)【要約】【課題】球を受け止めたり跳ね返したりする変幻自在な形態を提供する。【解決手段】回転誘導体３０がａ図から矢印Ｘ１；Ｘ２の方向に回転し、弾性片４６がｂ図のように障害突起３３に下側から接触して全体的に上に凸となる弧を描くように撓み、回転誘導体３０がｂ図から矢印Ｘ１；Ｘ２の方向に回転し、弾性片４６がｃ図のように障害突起３３を下側から上側に通過して全体的に斜め上方に直線的に復元して障害突起３３と案内突起３４との間に配置され、回転誘導体３０がｃ図から矢印Ｘ３；Ｘ４の方向に逆転し、弾性片４６がｄ図のように障害突起３３に上側から接触して全体的に下に凸となる弧を描くように撓む。【選択図】図１
2007236509.tif 000002
【特許請求の範囲】
【請求項１】
入賞部品に球を誘導するように遊技盤の遊技領域に取り付けられる取付基盤と、取付基盤の前面に回転可能に取り付けられる回転誘導体と、回転誘導体を回転駆動するように回転誘導体に連結されかつ取付基盤の裏面に取り付けられたステップモータと、取付基盤の前面から前側に突出するように取付基盤に設けられた障害突起とを備えたパチンコ遊技機の遊技部品であって、回転誘導体がステップモータの出力軸に連結された支柱と、帯板状の弾性片と、支柱および弾性片を互いに支持する誘導基盤とを備え、支柱が誘導基盤の裏面から裏側に突出した棒として構成され、弾性片が支柱の延びる方向と直交するように誘導基盤の周面から径方向外側に突出したばね材から構成され、回転誘導体がステップモータによって支柱を中心として回転し、弾性片が障害突起に接触して全体的に上に凸または下に凸となる弧を描くように撓むことを特徴とするパチンコ遊技機の遊技部品。
【請求項２】
入賞部品に球を誘導するように遊技盤の遊技領域に取り付けられる取付基盤と、取付基盤の前面に回転可能に取り付けられる回転誘導体と、回転誘導体を回転駆動するように回転誘導体に連結されかつ取付基盤の裏面に取り付けられたステップモータと、取付基盤の前面よりも前側に突出するように遊技盤の遊技領域に取り付けられた障害突起とを備えたパチンコ遊技機の遊技部品であって、回転誘導体がステップモータの出力軸に連結された支柱と、帯板状の弾性片と、支柱および弾性片を互いに支持する誘導基盤とを備え、支柱が誘導基盤の裏面から裏側に突出した棒として構成され、弾性片が支柱の延びる方向と直交するように誘導基盤の周面から径方向外側に突出したばね材から構成され、回転誘導体がステップモータによって支柱を中心として回転し、弾性片が障害突起に接触して全体的に上に凸または下に凸となる弧を描くように撓むことを特徴とするパチンコ遊技機の遊技部品。
【請求項３】
取付基盤には案内突起が取付基盤の前面から前側に突出するように設けられ、上に凸または下に凸となる弧を描くように撓んだ弾性片と案内突起とが球を受け止めるようにしたことを特徴とする請求項１または請求項２記載のパチンコ遊技機の遊技部品。
【発明の詳細な説明】
【技術分野】
【０００１】
本発明は、球を受け止めたり跳ね返したりする変幻自在な形態が可能なパチンコ遊技機の遊技部品に関する。
【背景技術】
【０００２】
パチンコ遊技機の遊技部品には、板ばねが全体的に上に凸となる弧を描くように、板ばねの両端部を遊技盤に固定したもの、入賞部品の回転翼に板ばねを用いたものが知られている。しかしながら、板ばねが全体的に上に凸となる弧を描く形状の遊技部品は、板ばねの両端部が遊技盤に固定された構造であるので、変幻自在な形態を提供することができないという欠点がある。回転翼に板ばねを用いた遊技部品は、板ばねが回転翼に固定された構造であるので、変幻自在な形態を提供することができないという欠点がある。
【特許文献１】特開平１−９７４８３号公報
【特許文献２】特開平４−１６６１７５号公報
【特許文献３】特開２００３−７９８６１号公報
【発明の開示】
【発明が解決しようとする課題】
【０００３】
発明が解決しようとする問題点は、板ばねが変幻自在でないという点である。
【課題を解決するための手段】
【０００４】
本発明に係るパチンコ遊技機の遊技部品は、入賞部品に球を誘導するように遊技盤の遊技領域に取り付けられる取付基盤と、取付基盤の前面に回転可能に取り付けられる回転誘導体と、回転誘導体を回転駆動するように回転誘導体に連結されかつ取付基盤の裏面に取り付けられたステップモータと、取付基盤の前面から前側に突出するように取付基盤に設けられた障害突起とを備えたパチンコ遊技機の遊技部品であって、回転誘導体がステップモータの出力軸に連結された支柱と、帯板状の弾性片と、支柱および弾性片を互いに支持する誘導基盤とを備え、支柱が誘導基盤の裏面から裏側に突出した棒として構成され、弾性片が支柱の延びる方向と直交するように誘導基盤の周面から径方向外側に突出したばね材から構成され、回転誘導体がステップモータによって支柱を中心として回転し、弾性片が障害突起に接触して全体的に上に凸または下に凸となる弧を描くように撓むことを最も主要な特徴とするか、または、入賞部品に球を誘導するように遊技盤の遊技領域に取り付けられる取付基盤と、取付基盤の前面に回転可能に取り付けられる回転誘導体と、回転誘導体を回転駆動するように回転誘導体に連結されかつ取付基盤の裏面に取り付けられたステップモータと、取付基盤の前面よりも前側に突出するように遊技盤の遊技領域に取り付けられた障害突起とを備えたパチンコ遊技機の遊技部品であって、回転誘導体がステップモータの出力軸に連結された支柱と、帯板状の弾性片と、支柱および弾性片を互いに支持する誘導基盤とを備え、支柱が誘導基盤の裏面から裏側に突出した棒として構成され、弾性片が支柱の延びる方向と直交するように誘導基盤の周面から径方向外側に突出したばね材から構成され、回転誘導体がステップモータによって支柱を中心として回転し、弾性片が障害突起に接触して全体的に上に凸または下に凸となる弧を描くように撓むことを特徴とする。取付基盤には案内突起が取付基盤の前面から前側に突出するように設けられ、上に凸または下に凸となる弧を描くように撓んだ弾性片と案内突起とが球を受け止めるようにしてもよい。
【発明の効果】
【０００５】
本発明に係るパチンコ遊技機の遊技部品は、回転誘導体がステップモータによって支柱を中心として回転し、弾性片が障害突起に接触して全体的に上に凸または下に凸となる弧を描くように撓むことによって、弾性片が球を受け止めたり跳ね返したりする変幻自在な形態となるという利点がある。取付基盤には案内突起が取付基盤の前面から前側に突出するように設けられ、上に凸または下に凸となる弧を描くように撓んだ弾性片と案内突起とが球を受け止めるようにすれば、より多くの球を保留することができるという利点がある。
【発明を実施するための最良の形態】
【０００６】
図１乃至図６は、発明を実施するための最良の形態である。図１は、球誘導部品１９の種々の形態の正面を示す。図２は、パチンコ遊技機の正面を示す。図３は、球誘導部品１９を前側から分解して示す。図４は、回転誘導体３０を省略した球誘導部品１９を後側から分解して示す。図５は、球誘導部品１９の正面を示す。図６は、球誘導部品１９を遊技盤７に取り付けて横方向に切断した断面を示す。本明細書において、「前」、「表」、「後」、「裏」、「左」、「右」、「上」、「下」の方向は、図２の状態にパチンコ遊技機を置いて前側から見た場合に特定される方向である。「前」および「表」は、同じ方向である。「後」および「裏」とは、同じ方向である。
【０００７】
図２を参照し、パチンコ遊技機の構造について説明する。パチンコ遊技機の遊技機枠１は、固定枠２の前側に可動枠３を開閉可能に備え、可動枠３の前側に前扉４および皿構造体５を開閉可能に備える。固定枠２は、外枠とも呼ばれ、図外の遊技機設置構造体に固定される。遊技機設置構造体は、遊技店のパチンコ遊技機を設置する島と呼ばれる設備である。可動枠３は、左側に位置するヒンジ６を中心とし、固定枠２の前側で前側に開かれかつ後側に閉じられるように、片開き可能であって、遊技盤７、球発射機構８、図外の球払出機構、図外の制御装置など遊技に必要な部品を取り付ける前枠とも呼ばれる。前扉４および皿構造体５は、個別に、左側に位置する図外のヒンジを中心とし、可動枠３の前側で前側に開かれかつ後側に閉じられるように、片開き可能である。前扉４は、パネル枠とも呼ばれ、前後方向に貫通する窓９を備える。窓９は、前面パネル１０で塞がれる。前面パネル１０は、前扉４の裏面に設けられた光透過性の有る無色なガラスのような板状の部材である。皿構造体５の前面には、球受皿部１１、球発射操作機構１２が設けられる。球発射機構８は、可動枠３の閉じられた皿構造体５で覆い隠される前面に設けられる。
【０００８】
遊技盤７は、可動枠３の内部に格納される。遊技盤７の遊技領域１３は、遊技盤７の前面の内ガイドレール１４と外ガイドレール１５とで囲まれた内側の部分であって、遊技盤７が可動枠３に格納された場合、遊技機枠１の前側から窓９および前面パネル１０を経由して視認される。遊技領域１３の左側には、球発射通路１６が接続される。球発射通路１６は、内ガイドレール１４の左側部と外ガイドレール１５の左側部との間の隙間によって、遊技盤７の前面に形成される。遊技領域１３に設けられる遊技部品は、球戻り防止弁１７、球反発部品１８、球誘導部品１９、始動入賞部品２０、可変入賞部品２１、アウト口２２、画像表示器２３、命釘２４、図外のその他遊技部品が設けられる。その他遊技部品としては、一般入賞部品、遊技釘、風車、サイドランプ、フィギャー、キャラクター、飾り部品などである。
【０００９】
パチンコ遊技機の動作について説明する。遊技機枠１の裏側や遊技盤７の裏側に設けられた図外の制御装置が供給された電力によって起動し、遊技者がパチンコ球と呼ばれる球を球受皿部１１に入れ、遊技者が球発射操作機構１２を右側に回転するように操作すると、制御装置が球発射機構８を球発射操作機構１２の操作量に応じた発射力で駆動するように制御し、球発射機構８が球受皿部１１から遊技機枠１の内部に取り込まれた球を１個ずつ球発射通路１６に向けて発射する。球発射通路１６に発射された球は、球戻り防止弁１７を押し開けて遊技領域１３に到達する。遊技領域１３に到達した球は、遊技領域を流下する過程において、球誘導部品１９、始動入賞部品２０、可変入賞部品２１、その他遊技部品などに衝突して、流れる方向を変えながら、図外の一般入賞部品や始動入賞部品２０のうちのいずれかに入って遊技盤７の裏側に排出される。図外の一般入賞部品または始動入賞部品２０に入賞した球は、当該図外の一般入賞部品または始動入賞部品に対応して設けられた図外の球検出器で検出される。この球を検出した球検出器は、入賞信号を制御装置に出力する。入賞信号が制御装置に入力されると、制御装置が入力された入賞信号に対応する個数の賞球を払い出すように図外の球払出機構を制御し、球払出機構が賞球としての球を遊技者に払い出すべく球受皿部１１に払い出す。制御装置は、始動入賞部品２０に対応する球検出器からの入賞信号が入力された場合、当たり外れの抽選を行い、その抽選の結果を遊技者に知らせるべく、画像表示器２３に図柄を可変表示した後に、図柄を抽選の結果を反映した状態に停止表示する。当たり外れの抽選の結果が当たりの場合は、画像表示器２３が当たり図柄を停止表示した後、制御装置は可変入賞部品２１の開閉体を開閉する。当たり外れの抽選の結果が外れの場合は、画像表示器２３が当たり図柄を停止表示した後、制御装置による可変入賞部品２１の制御は行われない。このような遊技中において、球誘導部品１９は制御装置によって動かされるが、その動き方は図１で後述する。図外の一般入賞部品、始動入賞部品２０、可変入賞部品２１のいずれかに入らずに、遊技領域１３の最下部に到達した球は、アウト口２２から遊技盤７の裏側に排出される。開閉体が開放中において、可変入賞部品２１に入った球は、遊技盤７の裏側に排出される。
【００１０】
図３乃至図６を参照し、球誘導部品１９の構造について説明する。図３において、球誘導部品１９は、取付基盤２６、ステップモータ２７、駆動歯車２８、従動歯車２９、左右一対の回転誘導体３０、止ねじ３１；３２を備える。取付基盤２６は、球誘導部品１９を遊技盤７（図２参照）に取り付けるための土台を構成するものであって、障害突起３３、案内突起３４、取付孔３５、モータ取付部３６、駆動軸受部３７、従動軸受部３８を備える。障害突起３３は、取付基盤２６の左右側部から前側に突出した、一対として、取付基盤２６に設けられる。案内突起３４は、取付基盤２６の上部から前側に突出した、一対として、取付基盤２６に設けられる。取付孔３５は、障害突起３３よりも内側に位置し、一対の前後方向への貫通孔として、取付基盤２６に設けられる。モータ取付部３６は、左側の案内突起３４よりも左上に位置し、右側の案内突起３４よりも右下に位置するように、取付基盤２６の裏面から裏側に突出した、一対として、取付基盤２６に設けられる。駆動軸受部３７は、右側の案内突起３４よりも下方で案内突起３４の真下に位置し、取付基盤２６から前側に筒状に突出して、取付基盤２６に設けられる。従動軸受部３８は、左側の案内突起３４よりも下方で案内突起３４の真下に位置し、取付基盤２６から前側に筒状に突出して、取付基盤２６に設けられる。
【００１１】
ステップモータ２７は、ロータやステータなどの電気的な素子を内蔵したモータケースから外側に、取付足３９および出力軸４０を突出する。取付足３９には、ねじ挿入孔４１が前後方向への貫通孔として設けられる。出力軸４０には、回転阻止部４２が設けられる。回転阻止部４２は、出力軸４０の周面の一部を平坦面として除去された異形として、出力軸４０の取付基盤側端部としての前端部に形成される。駆動歯車２８および従動歯車２９は、互いに噛み合わされる平歯車として構成される。駆動歯車２８の中心部および従動歯車２９の中心部には、取付部４３；４４が個別に設けられる。取付部４３は、回転誘導体３０の支柱および出力軸４０を取り付けるものであって、駆動歯車２８の前後方向に貫通し、回転阻止部４２；４８を嵌め込む異形孔として形成される。取付部４４は、回転誘導体３０を取り付けるものであって、従動歯車２９の前後方向に貫通し、回転阻止部４８を嵌め込む異形孔として形成される。
【００１２】
回転誘導体３０は、誘導基盤４５、弾性片４６、支柱４７を備える。誘導基盤４５は、回転誘導体３０としての弾性片４６および支柱４７を支持する土台を構成する。弾性片４６は、支柱４７の延びる方向と直交するように、誘導基盤４５の周面から径方向外側に突出した、合成樹脂またはばね材からなる帯板状である。支柱４７は、誘導基盤４５の裏面から裏側に突出した、丸棒として構成される。支柱４７には、回転阻止部４８が設けられる。回転阻止部４８は、支柱４７の周面の一部を平坦面として除去された異形として、支柱４７の取付基盤側端部としての後端部に形成される。止ねじ３１は、有頭のタッピングスクリューにより構成され、ステップモータ２７をモータ取付部３６に取り付けるものである。止ねじ３２は、無頭のセットスクリューにより構成され、出力軸４０と駆動歯車２８とを互いに結合するものである。図３の符号５１は、釘である。釘５１は、球誘導部品１９を図２の遊技盤７に取り付けるための木ねじのようなねじ釘である。
【００１３】
図４において、モータ取付部３６には、取付孔合孔４９が、モータ取付部３６の裏面から内部への窪みとして設けられる。駆動軸受部３７および従動軸受部３８は、取付基盤２６から後側にも筒状に突出する。取付部４３における駆動歯車２８から裏側に突出する異形孔を囲む周壁には、ねじ孔５０が設けられる。ねじ孔５０は、雌ねじが取付部４３の異形孔を囲む周壁の外周面と取付部４３の異形孔とに貫通する孔に形成された構造である。
【００１４】
図３および図４において、取付基盤２６、ステップモータ２７、駆動歯車２８、従動歯車２９、回転誘導体３０が次のように組み立てられることによって、球誘導部品１９が構成される。右側の回転誘導体３０の回転阻止部４８が取付基盤２６の前面に向けられ、支柱４７が取付基盤２６の前側から駆動軸受部３７に挿入され、回転阻止部４８が駆動軸受部３７よりも後側に突出し、回転阻止部４８には、駆動歯車２８の取付部４３が嵌め込まれ、支柱４７と駆動歯車２８とが互いに一緒に回転するように、駆動歯車２８が支柱４７に固定される。駆動歯車２８と支柱４７との相互の固定は、回転阻止部４８と取付部４３とが互いに嵌め込まれる場合に圧入されるかまたは接着剤で接着されるか、回転阻止部４８と取付部４３とが互いに嵌め込まれた後に、図外のセットスクリューのような止ねじで結合されることによって、実施される。左側の回転誘導体３０の回転阻止部４８が取付基盤２６の前面に向けられ、支柱４７が取付基盤２６の前側から従動軸受部３８に挿入され、回転阻止部４８が従動軸受部３８よりも後側に突出し、回転阻止部４８には、従動歯車２９の取付部４４が嵌め込まれ、支柱４７と従動歯車２９とが互いに一緒に回転するように、従動歯車２９が支柱４７に固定される。従動歯車２９と支柱４７との相互の固定は、回転阻止部４８と取付部４４とが互いに嵌め込まれる場合に圧入されるかまたは接着剤で接着されるか、回転阻止部４８と取付部４４とが互いに嵌め込まれた後に、図外のセットスクリューのような止ねじで結合されることによって、実施される。ステップモータ２７の回転阻止部４２が駆動歯車２８の裏側から取付部４３に嵌め込まれ、取付足３９がモータ取付部３６の裏面に重ね合わされ、止ねじ３１が取付足３９の後側からねじ挿入孔４１を経由して取付孔合孔４９に締結され、ステップモータ２７が取付基盤２６に取り付けられる。止ねじ３２が駆動歯車２８の外側からねじ孔５０に締結され、止ねじ３２の先端部が回転阻止部４２に接触して出力軸４０を取付部４３に押し付けることによって、出力軸４０が駆動歯車２８に固定される。これによって、球誘導部品１９が図５および図６に示す構造に構成される。
【００１５】
図５において、球誘導部品１９を正面から見た場合、一対の案内突起３４が互いに左右の方向に相対峙する間隔Ｈ１は、１個の球が上方から下方に通過可能であるが、２個の球が左右に並んで同時に通過できないように、１個の球の直径よりも大きく、１個の球の直径の２倍よりも小さい。間隔Ｈ１が上方から下方に行くにしたがって徐々に大きくなるように、一対の案内突起３４は、正面から見て、八字形となるように、傾斜する。弾性片４６の支柱４７の中心からの長さは、支柱４７と障害突起３３との間の距離よりも、支柱４７と案内突起３４との間の距離よりも大きい。よって、右側の弾性片４６が支柱４７を中心として矢印Ｘ１の方向に回転した場合、右側の弾性片４６の先端部が障害突起３３や案内突起３４に衝突する。左側の弾性片４６が支柱４７を中心として矢印Ｘ２の方向に回転した場合、弾性片４６の先端部が障害突起３３や案内突起３４に衝突する。ステップモータ２７の出力軸４０が一方向に回転すると、右側の弾性片４６が矢印Ｘ１の方向に回転し、駆動歯車２８および従動歯車２９が互いに逆向きに回転し、左側の弾性片４６が矢印Ｘ２の方向に回転する。つまり、ステップモータ２７の一方向への回転によって、一対の回転誘導体３０の弾性片４６が互いに逆方向に回転する。
【００１６】
図６を参照し、球誘導部品１９が遊技盤７に取り付けられた構造について説明する。遊技盤７には、部品逃避孔５２が前後方向への貫通孔として設けられる。球誘導部品１９が遊技盤７に取り付けられる場合、ステップモータ２７が遊技盤７の遊技領域１３の側に向けられて遊技盤７の前側から部品逃避孔５２に挿入されるのに伴い、駆動歯車２８と従動歯車２９とモータ取付部３６と駆動軸受部３７の後部および従動軸受部３８の後部が部品逃避孔５２に取り込まれ、取付基盤２６の裏面が遊技領域１３に接触し、取付基盤２６が部品逃避孔５２を前側から塞ぐ。その後、釘５１が取付基盤２６の前側から取付孔３５を経由して遊技盤７に締結される。これによって、球誘導部品１９が図６に示すように取り付けられる。前面パネル１０の裏面と遊技領域１３との間の空間５３、前面パネル１０の裏面と取付基盤２６との間の空間５４には、球が通過する。前面パネル１０の裏面と回転誘導体３０の前面との間の隙間、前面パネル１０の裏面と障害突起３３の前面との間の隙間、前面パネル１０の裏面と図５の案内突起３４の前面との間の隙間は、球が入り込めないように、１個の球の直径よりも小さい。
【００１７】
図１を参照し、球誘導部品１９の動作について説明する。図１のａ図は、回転誘導体３０の弾性片４６が互いに平行に相対峙して始動入賞部品２０の側に向けられたように鉛直になるように、回転誘導体３０の回転が停止した場合であって、例えば、始動入賞部品２０への球の入賞が無い、通常の遊技状態である。この場合、球は、命釘２４の上方から命釘２４の間、回転誘導体３０の間を順に通過して始動入賞部品２０に取り込まれる。仮想線で示すように、球Ｐ１が外側から一方の弾性片４６に衝突した場合、球Ｐ１の弾性片４６への衝突が弱いと、弾性片４６は点線で示すように内側に小さく撓み、衝突した球Ｐ１は矢印Ｙ１で示すように右斜め下方に跳ね返り始動入賞部品２０の外側を通過する。球Ｐ１の弾性片４６への衝突が強いと、弾性片４６は仮想線で示すように内側に大きく撓み、衝突した球Ｐ１は矢印Ｙ２で示すように右斜め下方に跳ね返り始動入賞部品２０に取り込まれる可能性がある。
【００１８】
図１のｂ図は、回転誘導体３０の弾性片４６が図１のａ図の形態から矢印Ｘ１；Ｘ２の方向に回転し、弾性片４６の先端部が障害突起３３に下側から接触し、弾性片４６が全体的に上に凸となる弧を描くように撓み、その状態において、回転誘導体３０の回転が停止した場合であって、例えば、始動入賞部品２０への球の入賞が有り、図柄変動中の遊技状態の初期である。この場合も、球は、命釘２４の上方から命釘２４の間、回転誘導体３０の間を順に通過して始動入賞部品２０に取り込まれる可能性はある。実線で示す球Ｐ２が案内突起３４と弾性片４６とによって受け止められ、仮想線で示す別の球Ｐ３が矢印Ｙ３で示すように球Ｐ２の上方から右側に衝突した場合、衝突した球Ｐ３は矢印Ｙ３で示すように右斜め下方に跳ね返り始動入賞部品２０の外側を通過する。また、球Ｐ３が矢印Ｙ４で示すように球Ｐ２の上方から左側に衝突した場合、衝突した球Ｐ３は矢印Ｙ４で示すように左斜め上方に跳ね返り右側の命釘２４を左側に越えた後に自重落下で一対の命釘２４の間から一対の回転誘導体３０の間を経由して始動入賞部品２０に取り込まれる可能性がある。
【００１９】
図１のｃ図は、回転誘導体３０の弾性片４６が図１のｂ図の形態から矢印Ｘ１；Ｘ２の方向に回転し、弾性片４６の先端部が障害突起３３を下側から上側に通過し、弾性片４６が全体的に斜め上方に直線的に復元して障害突起３３と案内突起３４との間に配置され、その状態において、回転誘導体３０の回転が停止した場合であって、例えば、始動入賞部品２０への球の入賞が有り、図柄変動中の遊技状態の後期である。この場合も、球は、命釘２４の上方から命釘２４の間、回転誘導体３０の間を順に通過して始動入賞部品２０に取り込まれる可能性はある。実線で示す球Ｐ４が案内突起３４と弾性片４６とによって受け止められ、実線で示す別の球Ｐ５が球Ｐ４の上に重ね合わされ弾性片４６で受け止められ、仮想線で示す別の球Ｐ６が矢印Ｙ５で示すように球Ｐ４の上方から左側に衝突したり矢印Ｙ６で示すように球Ｐ５の上方から左側に衝突したりした場合、衝突した球Ｐ６は矢印Ｙ５または矢印Ｙ６で示すように左斜め上方に跳ね返り右側の命釘２４を左側に越えた後に自重落下で一対の命釘２４の間から一対の回転誘導体３０の間を経由して始動入賞部品２０に取り込まれる可能性がある。その後、図柄変動が終了した時点において、回転誘導体３０の弾性片４６が矢印Ｘ１；Ｘ２の方向にさらに回転して案内突起３４に接触するかまたは接触する程度に近づいた位置で回転誘導体３０の回転が停止すると、保留された球Ｐ４；Ｐ５が弾性片４６で左側に押されて左側の案内突起３４および左側の命釘２４を左側に越えた後に自重落下で一対の命釘２４の間から一対の回転誘導体３０の間を経由して始動入賞部品２０に取り込まれる可能性がある。
【００２０】
図１のｄ図は、回転誘導体３０の弾性片４６が図１のｃ図の形態から矢印Ｘ３（矢印Ｘ１の逆方向）および矢印Ｘ４（矢印Ｘ２の逆方向）の方向に回転し、弾性片４６の先端部が障害突起３３に上側から接触し、弾性片４６が全体的に下に凸となる弧を描くように撓み、その状態において、回転誘導体３０の回転が停止した場合であって、例えば、図柄変動が終了した時点である。この場合も、球は、命釘２４の上方から命釘２４の間、回転誘導体３０の間を順に通過して始動入賞部品２０に取り込まれる可能性はある。回転誘導体３０が矢印Ｘ３；Ｘ４の方向に回転するのに伴い、実線で示す球Ｐ４；Ｐ５が下に凸となった弾性片４６で受け止められる。その後、実線で示す別の球Ｐ７が球Ｐ４と案内突起３４とで受け止められる。また、図外のさらなる別の球が球Ｐ５；Ｐ７で受け止められるというように、多数の球Ｐ４；Ｐ５；Ｐ７が回転誘導体３０と案内突起３４とで受け止められる可能性がある。その後、回転誘導体３０が矢印Ｘ１；Ｘ２の方向に再び回転して案内突起３４に接触するかまたは接触する程度に近づいた位置で回転誘導体３０の回転が停止すると、保留された多数の球Ｐ４；Ｐ５；Ｐ７が弾性片４６で左側に押されて左側の案内突起３４および左側の命釘２４を左側に越えた後に自重落下で一対の命釘２４の間から一対の回転誘導体３０の間を経由して始動入賞部品２０に取り込まれる可能性がある。
【００２１】
最良の形態によれば、球誘導部品１９の回転誘導体３０がステップモータ２７によって支柱４７を中心として回転し、弾性片４６が障害突起３３に接触して全体的に上に凸または下に凸となる弧を描くように撓むことによって、弾性片４６が球を受け止めたり跳ね返したりする変幻自在な形態となるという利点がある。取付基盤２６には案内突起３４が取付基盤２６の前面から前側に突出するように設けられ、上に凸または下に凸となる弧を描くように撓んだ弾性片４６と案内突起３４とが球を受け止めるようにしているので、より多くの球を保留することができるという利点がある。
【産業上の利用可能性】
【００２２】
図７は、異なる第１の形態に係る球誘導部品１９の正面を示し、球誘導部品１９に始動入賞部品２０を一体に設けた形態である。具体的には、取付基盤２６が下方に板状に延長された延設部５５を備える。延設部５５には、始動入賞部品２０を構成するための球受入部５６が、延設部５５から前側に突出するように設けられる。球受入部５６は、上方にだけ開口した球入口を備えたポケット形であって、球入口から内部に取り込まれた球を延設部５５の側に誘導する構造になっている。延設部５５における球受入部５６の裏側と対応する部分には、球受入部５６に取り込まれた球を延設部５５の裏側に排出する球出口および樋が設けられる。よって、球誘導部品１９が図２の遊技盤７に取付られることによって、始動入賞部品２０も遊技盤７に取付られるという利点がある。
【００２３】
図８は、異なる第２の形態に係る球誘導部品１９の正面を示し、回転誘導体３０が片側に設けられ、もう片方には固定壁５７が設けられた形態である。具体的には、右側の回転誘導体３０が取付基盤２６の前側に設けられ、固定壁５７が左側の案内突起３４から鉛直状に延設されかつ取付基盤２６から前側に突出するように取付基盤２６に設けられる。また、球誘導部品１９および始動入賞部品２０が遊技盤７に取り付けられた場合において、球誘導部品１９および始動入賞部品２０の間における遊技領域１３には、障害釘５８が設けられる。これによって、球は、固定壁５７および障害釘５８の外側から始動入賞部品２０に取り込まれることがなく、命釘２４の上方から命釘２４の間から、回転誘導体３０の垂下した弾性片４６の外側から、回転誘導体３０の弾性片４６の回転して停止した形態（図１のａ図乃至ｄ図参照）によって、始動入賞部品２０に取り込まれるという利点がある。
【００２４】
球誘導部品１９で球を誘導される入賞部品として始動入賞部品２０を例示したが、球誘導部品１９で球を誘導される入賞部品としては、一般入賞部品、チャッカ、可変入賞部品２１などであってもよい。一般入賞部品は、球が遊技領域１３から遊技盤７の裏面に排出され、球が入ることによって、定数の賞球を払い出すための取込形の入賞部品である。チャッカは、球が遊技領域１３から遊技盤７の裏面に排出されることなく遊技領域１３に排出され、定数の賞球を払い出すことのない、通過タイプの入賞部品である。
【００２５】
図２において、障害突起３３が金属で構成され、球誘導部品１９が遊技盤７の遊技領域１３に取り付けられ、遊技盤７が遊技機枠１に格納された状態において、遊技店の店員が、金属からなる障害突起３３における前面パネル１０の側に位置する端部を遊技領域１３と平行な方向に移動させるように、障害突起３３を傾けることによって、回転した場合での弾性片４６の障害突起３３に触れる位置を変えれば、弾性片４６の上または下に凸となる弧を描く形状を変更することができる。また、障害突起３３が取付基盤２６から取り除かれ、この取り除かれた障害突起３３に代わる金属からなる遊技釘が取付基盤２６の前面よりも前側に突出するように遊技領域１３に取り付けられ、回転した場合での弾性片４６が障害突起３３に代わる遊技釘に触れて上または下に凸となる弧を描く形状に撓むようにしてもよい。この場合も、遊技盤７が遊技機枠１に格納された状態において、遊技店の店員が、障害突起３３に代わる金属からなる遊技釘における前面パネル１０の側に位置する端部を遊技領域１３と平行な方向に移動させるように、障害突起３３に代わる金属からなる遊技釘を傾けることによって、回転した場合での弾性片４６の障害突起３３に代わる金属からなる遊技釘に触れる位置を変えれば、弾性片４６の上または下に凸となる弧を描く形状を変更することができる。この障害突起３３に代わる金属からなる遊技釘を遊技領域１３に取り付けるに際し、取付基盤２６に前後方向への貫通孔を形成しておき、障害突起３３に代わる金属からなる遊技釘が取付基盤２６の前側から取付基盤２６の貫通孔を経由して遊技領域１３に取り付けられてもよい。
【図面の簡単な説明】
【００２６】
【図１】球誘導部品の種々の形態を示す正面図（最良の形態）。
【図２】パチンコ遊技機の正面図（最良の形態）。
【図３】球誘導部品の前側からの分解斜視図（最良の形態）。
【図４】回転誘導体を省略した球誘導部品の後側からの分解斜視図（最良の形態）。
【図５】球誘導部品の正面図（最良の形態）。
【図６】球誘導部品を遊技盤に取り付けた横断面図（最良の形態）。
【図７】球誘導部品の正面図（異なる第１の形態）。
【図８】球誘導部品の正面図（異なる第２の形態）。
【符号の説明】
【００２７】
７  遊技盤、１３  遊技領域、１９  球誘導部品、２０  始動入賞部品、
２６  取付基盤、２７  ステップモータ、３０  回転誘導体、４５  誘導基盤、
４６  弾性片、４７  支柱。
【図１】
2007236509.tif 000003
【図２】
2007236509.tif 000004
【図３】
2007236509.tif 000005
【図４】
2007236509.tif 000006
【図５】
2007236509.tif 000007
【図６】
2007236509.tif 000008
【図７】
2007236509.tif 000009
【図８】
2007236509.tif 000010